(57)【要約】【課題】ＣＡＴＶシステムで使用されるケーブルモデムをセットトップボックスの筐体に内蔵するとともに，該ケーブルモデムの状態情報を，該ＣＡＴＶシステムの放送を受信するためのテレビジョン画面に表示する機能を有するセットトップボックスを提供することを課題とする。【解決手段】セットトップボックスに引き込まれたＣＡＴＶ伝送線の信号を分配して放送号受信装置と双方向通信装置に接続し，放送信号受信装置と双方向通信装置はディジタル信号を伝送する接続線で接続することにより，ケーブルモデムの状態情報信号を双方向通信装置から放送信号受信装置に伝送し，放送信号受信装置の出力信号に合成してテレビジョン受像機の画面にケーブルモデムの状態情報を表示させる。【選択図】  図１
2005176119.tif 000002
【特許請求の範囲】
【請求項１】
ＣＡＴＶシステムで使用されるＣＡＴＶ用端末装置において，該ＣＡＴＶ用端末装置はケーブルモデムを内蔵し，該ケーブルモデムの状態情報を，該ＣＡＴＶシステムの放送を受信するためのテレビジョン画面に表示する機能を有することを特徴とするＣＡＴＶ用端末装置。
【発明の詳細な説明】
【技術分野】
【０００１】
本発明は，主にＣＡＴＶシステムに利用されるＣＡＴＶ用端末装置（以下セットトップボックスと表す）に関し，詳しくはＣＡＴＶシステムの放送を受信するテレビジョン受像機の画面にケーブルモデムの状態情報を表示させる機能に関する。
【背景技術】
【０００２】
従来のＣＡＴＶシステムで使用される加入者宅のケーブルモデムは，セットトップボックスに内蔵されておらず，該ケーブルモデムの状態情報（例えばパーソナルコンピュータやＣＡＴＶ伝送線への接続状態など）はケーブルモデムの表示部にＬＥＤの発光により表示されるようになっていて，放送を受信するテレビジョン画面にケーブルモデムの状態情報を表示させる構成になっていなかった。
（例えば，特許文献１参照）
【０００３】
【特許文献１】特開平１１−６９３３６号公報
【発明の開示】
【発明が解決しようとする課題】
【０００４】
従来のＣＡＴＶシステムで使用される加入者宅のケーブルモデムは，セットトップボックスに内蔵されておらず，該ケーブルモデムの状態情報（例えばパーソナルコンピュータやＣＡＴＶ伝送線への接続状態など）はケーブルモデムの表示部にＬＥＤの発光により表示されるようになっていて，放送を受信するテレビジョン画面にケーブルモデムの状態情報を表示させる構成になっていなかった。
このため，サービスマンが保守，点検のためにケーブルモデムの状態情報を確認するためには，直接ケーブルモデムの表示部を確認する必要があった。しかし，ケーブルモデムはテレビジョン受像機の奥やパーソナルコンピュータのラックの隙間に設置される事が多く，容易にケーブルモデムの状態情報を確認できないといった問題が有った。
また，更に詳細なケーブルモデムの状態情報を確認するためには，ケーブルモデムにパーソナルコンピュータを接続して確認しなければならず，容易に確認できなかった
そこで本願においては，こうした問題点を解決するためになされたものであり，
その目的は，ＣＡＴＶシステムで使用されるケーブルモデムをセットトップボックスの筐体に内蔵するとともに，該ケーブルモデムの状態情報を，該ＣＡＴＶシステムの放送を受信するためのテレビジョン画面に表示する機能を有するセットトップボックスを提供することを課題とする。
【課題を解決するための手段】
【０００５】
上記課題を解決するために，請求項1の発明は，信号分配手段，テレビジョン受像機の出力信号にケーブルモデムの状態情報を合成する機能を有する放送号受信装置，双方向通信装置，放送信号受信装置と双方向通信装置を接続するディジタル信号接続線，電源回路，及びこれらを収容する筐体で構成される。
【発明の効果】
【０００６】
以上詳述したように，請求項１の発明によれば，ＣＡＴＶシステムで使用されるセットトップボックスにおいて，該セットトップボックスはケーブルモデムを内蔵し，該ケーブルモデムの状態情報を，該ＣＡＴＶシステムの放送を受信するためのテレビジョン画面に表示する機能を有するので，ケーブルモデムの状態情報を容易に確認する事ができる。また，ケーブルモデムの表示部から表示できる情報の種類及び情報の量に比べて，よりより多くの情報の種類及び情報の量を表示する事ができる。
【発明を実施するための最良の形態】
【０００７】
以下に，本発明を具体化した実施形態の例を，図面を基に詳細に説明する。
図１は本発明に係るセットトップボックス１の実施の形態を示すブロック図の１例を示し，図２は本発明に係るセットトップボックスによるテレビジョン画面表示の１例を示し，図３は本発明に係るセットトップボックス１を用いたＣＡＴＶシステムの１例を示す。
【実施例１】
【０００８】
図３にＣＡＴＶシステムに用いられるセンター局１００のブロック図の１例を示す。
図３に示すように，センター局１００と加入者宅のセットトップボックスはＣＡＴＶ網１０で接続されている。センター局１００において，地上波用受信アンテナ１２０，及び衛星波用受信アンテナ１１９で受信した放送信号はチューナ１０１〜１０６，変調器１０７を介して混合器１１７に入力される。また，インターネットの通信をするための信号は，ＷＡＮに接続されたルーター１１３，スイッチングハブ１１２，ＣＭＴＳ１１４〜１１６を介して混合器１１８に入力される。混合器１１７の出力信号はＣＡＴＶ網１０へ送出される。センター局１００から送出された放送信号とインターネットの通信をするための信号はＣＡＴＶ伝送線１８で加入者宅のセットトップボックスへ伝送される。
【０００９】
次に図１を用いて本発明に係るセットトップボックス１の説明をする。図１に本発明に係るセットトップボックス１の実施の形態を示すブロック図の１例を示す。セットトップボックス１は，信号分配手段，テレビジョン受像機の出力信号にケーブルモデムの状態情報を合成する機能を有する放送号受信装置，双方向通信装置，放送信号受信装置と双方向通信装置を接続するディジタル信号接続線，電源回路，及びこれらを収容する筐体で構成される。
加入者宅へ引き込まれたＣＡＴＶ伝送線１８は分配器１６を介して放送信号受信装置と双方向通信装置の両方に接続される。
分配器１６から放送信号受信装置に入力された信号はチューナ1２，信号処理部１７を介してテレビジョン受像機２に出力される。
【００１０】
一方，分配器１６から双方向通信装置に接続された信号は，ケーブルモデム５，スイッチングハブ４またはルーター等を介し，インターネットの通信を行うためのパーソナルコンピュータ３に接続されるとともに，他の１つはケーブルモデム５の状態情報をテレビジョン受像機２の画面に表示させる処理を行うために，ディジタル信号を伝送する接続線で制御部１３に接続される。制御部１３で取り出されたケーブルモデムの状態情報信号は処理部１９で，放送の受信画面に合成できるように処理され，信号処理部１７で合成される。このようにして，テレビジョン受像機２の画面にケーブルモデムの状態情報を表示させる。図２にテレビジョン受像機にケーブルモデムの状態情報を表示した１例を示す。
【００１１】
ケーブルモデム５の状態情報をテレビジョン受像機２の画面に表示させる操作は図示しないセットトップボックス１のリモコン装置で行われる。実際にケーブルモデム５の状態情報を利用するのは，多くの場合，ＣＡＴＶシステム運営の担当者であり，ケーブルモデム５の状態情報の中には加入者に対しては必要の無いものも含まれているので，パスワードを設定して情報の表示を制限しても良い。
次に，セットトップボックス１の電源回路について説明する。セットトップボックス１の電源プラグに電源（例えばＡＣ１００Ｖ）が供給されている場合は，セットトップボックス１の電源スイッチがオフの状態でも（スタンバイ状態），双方向通信装置，には必要な電源が供給されている。このため，セットトップボックス１の電源スイッチの状態にかかわらず，セットトップボックス１に接続したパーソナルコンピュータ３でインターネットの通信ができる。
【００１２】
尚，本発明は上記実施の形態に限定されるものではなく，以下に例示するように，本発明の趣旨を逸脱しない範囲で各部の構成並びに回路を適宜に変更して実施することも可能である。
例えばセットトップボックス１の入出力端子１５に接続された分配器１６は分岐器やその他の機器でも良い。
また，上記実施例では，ケーブルモデム５の状態情報を映像で出力させる例を示したが，映像の他に音声で出力させても良いし，映像と音声の両方で出力させても良い。映像で出力する場合は，文字でも良いし，図形でも良いし，文字と図形を組み合わせたものでも良い。また，アイコンを表示させて必要な情報を選択できるようにしても良い。
【図面の簡単な説明】
【００１３】
【図１】本発明に係るセットトップボックスの実施の形態を示すブロック図の１例を示す。
【図２】本発明に係るセットトップボックスによるテレビジョン画面表示の１例を示す。
【図３】本発明に係るセットトップボックスを用いたＣＡＴＶシステムの１例を示す。
【符号の説明】
【００１４】
１…セットトップボックス，２…テレビジョン受像機，３…パーソナルコンピュータ，４…スイッチングハブ，５…ケーブルモデム，６…電源部，１０…ＣＡＴＶ網，１１…セットトップボックスの筐体，１２…チューナ，１３…制御部，１４…メモリー，１５…セットトップボックス入出力端子，１６…分配器，１７…信号処理部，１８…ＣＡＴＶ伝送線，１９…処理部，１００…センター局，１０１，１０２，１０３，１０４，１０５，１０６…チューナ，１０７…変調器，１０８…セットトップボックス管理装置，１０９…ケーブルモデム管理装置，１１０…メールサーバー，１１１…セットトップボックスダウンロードサーバー，１１２…スイッチングハブ，１１３…ルーター，１１４，１１５，１１６…ＣＭＴＳ，１１７，１１８…混合器，１１９…衛星アンテナ，１２０…地上波用アンテナ，１２１…ＷＡＮ接続端子，２００…放送信号受信装置，２０１…双方向通信装置，２０２…ディジタル信号を伝送する接続線。
。
【図１】
2005176119.tif 000003
【図２】
2005176119.tif 000004
【図３】
2005176119.tif 000005